(57)【要約】      （修正有）【課題】着用状態では全く目立つことがなく、脱いでいる状態のときは、所有者の名前、又は目印が直ちに識別できる、シンプルな構造で製作容易な所有者名又は目印付き履物及び中敷きを提供する。【解決手段】靴Ｓ１において、該靴Ｓ１を脱いだとき、所有者の視界に入る甲皮１の先端周縁部１ａや足載置面、内側面又は外側面等に、蓄光材を含むプラスチックシートからなる表示部２を設け、表示部２には靴Ｓ１の所有者名４が表示されていることを特徴とする。【選択図】図１
0003146294.tif 000002
【実用新案登録請求の範囲】
【請求項１】
履物であって、
着用状態においては、着用者の足によって隠蔽され、脱いだ状態においては、所有者の視界に入る位置に所有者の名前又は目印を表示するための表示部又は表示片を設けた
ことを特徴とする所有者名又は目印付き履物。
【請求項２】
前記表示部又は表示片が、蓄光材を含む素材で形成されている
ことを特徴とする請求項１に記載する所有者名又は目印付き履物。
【請求項３】
前記表示部又は表示片は、履物の甲皮先端周縁部に一体的に延設されるか、又は前記表示部又は表示片の一端が履物の甲皮先端周縁部に接着、溶着、縫着又は面状ファスナーによって止着され、他端には該履物の所有者名又は目印が設けられている
ことを特徴とする請求項１〜請求項２の何れかに記載する所有者名又は目印付き履物。
【請求項４】
前記表示部又は表示片には、折り返し用の折れ線が形成されている
ことを特徴とする請求項１〜請求項３の何れかに記載する又は所有者名又は目印付き履物。
【請求項５】
前記表示部又は表示片が、各種図形、模様又は文字からなる蓄光材を含むプラスチックシート、シール又はワッペンである
ことを特徴とする請求項１〜請求項４の何れかに記載する所有者名又は目印付き履物。
【請求項６】
前記履物が、靴、スリッパ、サンダル又は室内履物類である
ことを特徴とする請求項１〜請求項５の何れかに記載する所有者名又は目印付き履物。
【請求項７】
靴用の中敷きであって、
着用状態においては、着用者の足によって隠蔽され、脱いだ状態においては、所有者の視界に入る位置に所有者の名前又は目印を表示するための表示部又は表示片を設けた
ことを特徴とする所有者名又は目印付き中敷き。
【請求項８】
前記表示部又は表示片が、蓄光材を含む素材で形成されている
ことを特徴とする請求項７に記載する所有者名又は目印付き中敷き。
【請求項９】
前記表示部又は表示片が、各種図形、模様又は文字からなる蓄光材を含むプラスチックシート、シール又はワッペンである
ことを特徴とする請求項７〜請求項８の何れかに記載する所有者名又は目印付き中敷き。
【考案の詳細な説明】
【技術分野】
【０００１】  本考案は、所有者名又は目印付き履物及び中敷きに関し、より詳しくは、多数の人が集まる各種式場、会場又は施設等の玄関で脱がれた、又は着用する自分と他人の履物が、ひと目で識別が可能な所有者名又は目印付き履物及び中敷きに関するものである。
【背景技術】
【０００２】  従来、冠婚葬祭等のように多数の人が集まる場合、特に法事が行われる会場における親族等が待機する和室、又は集会場等においては、参列者の靴の置き場が充分に準備されていないのが現状である。例えば、法事会場の和室の玄関や集会場等では、参列者は靴を脱いで入室することが多く、各参列者は、玄関に自分の靴を揃えて入室した場合であっても、後から来る参列者も、空いている箇所に適宜靴を脱いでいくこととなり、次第に靴が乱雑になり、収拾がつかなくなる。【０００３】  法事等が終了すると、参列者は一斉に退室しようとするために、玄関周辺は混乱し、自分が靴を脱ぎ置いた近辺で、自分の靴を見つけようとしても、参列者の靴は男女何れも黒色であり、靴のサイズやデザインも大差がないので、自分の靴を見つけ出すのに時間がかかり、誤って他人の靴を履いて帰るという不具合も起きている。【０００４】  また、近年、高齢社会の到来に伴い、介護老人ホームやデイサービス等の介護施設が増設され、これらの施設に通う高齢者も必然的に増加している。これらの施設での問題のひとつが、施設内で使用されるスリッパや内履き等の履き間違いである。施設等で準備されているスリッパ等は、同色、同デザインのものが多用されている。これらの施設にあって、施設利用者は、他人のスリッパ等を履くことに嫌悪感を抱く人が多数あり、自分専用のスリッパ等を希望している。そのために、施設側では利用者それぞれのスリッパ等に、利用者の名前を表示したり、目印を付けたりしている。その作業は煩瑣であるという問題点がある。
【考案の開示】
【考案が解決しようとする課題】
【０００５】  上記のような不具合、問題点を解決するために、各種の提案がなされている。例えば、靴の自他識別がすばやくできることを目的とした、登録実用３０１９３０６の「靴」（特許文献１）は、後踵部の外面に後踵部外面よりも盛り上がった状態の図案化した若葉とチューリップとよりなる名前記入欄が設けられていることを特徴としている。また、登録実用３１００１６６の「靴の中敷き」（特許文献２）は、自分の靴を容易に探しだすことができる靴の中敷きを提供することを課題とし、その解決手段は、靴の中敷きの踵部に開口部を穿設し、同開口部に透明な軟質エラストマー板を嵌設し、かつ透明な軟質エラストマー板の裏面に文字、図形、模様等の目視情報を設けたことを特徴としている。【０００６】  また、他人の使用分と混同を生じることのないスリッパを提供するものとして、特開平１１−２５３２０２の「スリッパ」（特許文献３）が提案されている。特許文献３は、甲皮の上面に、差し込み口を有する透明なポケット部を形成し、このポケット部内に、利用施設名を表示する施設名表示札と、利用客名を表示する名札とを、上下に重ねて抜き差し可能に差し込むようにしたことを特徴としている。【０００７】
【特許文献１】実用新案登録第３０１９３０６号公報
【特許文献２】実用新案登録第３１００１６６号公報
【特許文献３】特許公開平１１−２５３２０２号公報
【０００８】  しかしながら、上記の特許文献１に開示された「靴」は、冠婚葬祭等のようフォーマルな行事に着用する靴には、不適切である。また特許文献２の「靴の中敷き」は、女性や若年者のなかには中敷きを靴に入れない人もおり、また製作工程数が多いためにコスト高となり、実用的でないという欠点がある。きらに、特許文献３の「スリッパ」は、他人の使用分と混同を生じることを防止するという目的は達成できるが、特許文献２と同様、製作工程数が多いという欠点を払拭できない。【０００９】  本考案が解決しようとする課題は、着用状態では全く目立つことがなく、脱いでいる状態のときは、所有者の名前、又は目印が直ちに識別できる、シンプルな構造で製作容易な所有者名又は目印付き履物及び中敷きを提供することにある。
【課題を解決するための手段】
【００１０】  本考案者は、上記従来技術が有する各種問題点に鑑み鋭意検討を重ね、課題を解決するために、当該業界では想定されなかった解決手段を完成したものである。
課題を解決するための手段は、本願、実用新案登録請求の範囲の各請求項に記載の考案であり、その具体的な解決手段は、以下の通りである。【００１１】  課題を解決するための第１の考案は、請求項１に記載の考案であり、
「履物であって、
着用状態においては、着用者の足によって隠蔽され、脱いだ状態においては、所有者の視界に入る位置に所有者の名前又は目印を表示するための表示部又は表示片を設けた」
ことを特徴としている。【００１２】  課題を解決するための第２の考案は、請求項２に記載の考案であり、所有者名又は目印付き履物にあって、
「前記表示部又は表示片が、蓄光材を含む素材で形成されている」
ことを特徴としている。【００１３】  課題を解決するための第３の考案は、請求項３に記載の考案であり、所有者名又は目印付き履物にあって、
「前記表示部又は表示片は、履物の甲皮先端周縁部に一体的に延設されるか、又は前記表示部又は表示片の一端が履物の甲皮先端周縁部に接着、溶着、縫着又は面状ファスナーによって止着され、他端には該履物の所有者名又は目印が設けられている」
ことを特徴としている。【００１４】  課題を解決するための第４の考案は、請求項４に記載の考案であり、所有者名又は目印付き履物にあって、
「前記表示部又は表示片には、折り返し用の折れ線が形成されている」
ことを特徴としている。【００１５】  課題を解決するための第５の考案は、請求項５に記載の考案であり、
「前記表示部又は表示片が、各種図形、模様又は文字からなる蓄光材を含むプラスチックシート、シール又はワッペンである」
ことを特徴としている。【００１６】  課題を解決するための第６の考案は、請求項６に記載の考案であり、所有者名又は目印付き履物にあって、、
「前記履物が、靴、スリッパ、サンダル又は室内履物類である」
ことを特徴としている。【００１７】  課題を解決するための第７の考案は、請求項７に記載の考案であり、所有者名又は目印付き中敷きであって、
「着用状態においては、着用者の足によって隠蔽され、脱いだ状態においては、所有者の視界に入る位置に所有者の名前又は目印を表示するための表示部又は表示片を設けた」
ことを特徴としている。【００１８】  課題を解決するための第８の考案は、請求項８に記載の考案であり、所有者名又は目印付き中敷きであって、
「前記表示部又は表示片が、蓄光材を含む素材で形成されている」
ことを特徴としている。【００１９】  課題を解決するための第９の考案は、請求項９に記載の考案であり、所有者名又は目印付き中敷きであって、
「前記表示部又は表示片が、各種図形、模様又は文字からなる蓄光材を含むプラスチックシート、シール又はワッペンである」
ことを特徴としている。
【考案の効果】
【００２０】  本考案に係る、所有者名又は目印付き履物及び中敷きであって、所有者名又は目印付き  履物は、上記の構成になるから以下の効果を奏する。第１の考案によれば、
「履物であって、着用状態においては、着用者の足によって隠蔽され、脱いだ状態においては、所有者の視界に入る位置に所有者の名前又は目印を表示するための表示部又は表示片を設けた」という当業界では想到することが困難な特徴ある構成としているから、
特に冠婚葬祭等のようフォーマルな行事に着用する靴等の所有者名や目印は、できるだけ目立たないことが要求され、かつ行事の終了後には、所有者の視界に入る位置に、所有者の名前又は目印を表示するための表示部又は表示片を設けてなるから、所有者は、自己の名前、又は目印を直ちに識別でき、着用時は全く目立つことがなく、脱いだときは、所有者の名前、又は目印が直ちに識別ができる、シンプルな構造で製作容易な、名前又は目印付き履物の提供という、本考案の課題を解決することができた。【００２１】  第２の考案によれば、
「前記表示部又は表示片が、蓄光材を含む素材で形成されている」
という当業界では想到することが困難な特徴ある構成としているから、
蓄光材の特性である、太陽光や蛍光灯等の光エネルギーを短時間で吸収して、暗所で光を放出するので、自他の履物の識別が容易となり、また、該蓄光材は、アルミナ系酸化物の無機顔料であり、有害物質は全く含まれていないので安全性にも問題がない。【００２２】  第３の考案によれば、
「前記表示部又は表示片は、履物の甲皮先端周縁部に一体的に延設されるか、又は前記表示部又は表示片の一端が履物の甲皮先端周縁部に接着、溶着、縫着又は面状ファスナーによって止着され、他端には該履物の所有者名又は目印が設けられている」
という当業界では想到することが困難な特徴ある構成としているから、
着用時は、履物の所有者の足によって、所有者の名前、又は目印は全く目立つことがなく、脱いだときは、履物の甲皮先端周縁部に所有者の名前、又は目印が表示されるので、直ちに自分の履物を発見することができる。【００２３】  第４の考案によれば、
「前記表示部又は表示片には、折り返し用の折れ線が形成されている」
という当業界では想到することが困難な特徴ある構成としているから、
着用時は、表示部又は表示片は、甲皮先端周縁部の底面に折り返されて収納され、脱いだときは、該表示部又は表示片は折れ線を介し、下方に垂れ下がった状態になるから、所有者の名前、又は目印は直ちに識別が可能である。【００２４】  第５の考案によれば、
「前記表示部又は表示片が、各種図形、模様又は文字からなる蓄光材を含むプラスチックシート、シール又はワッペンである」
という当業界では想到することが困難な特徴ある構成としているから、
表示部又は表示片の構造は、シンプル、かつその製作は容易であるから、履物製作会社又は販売会社が、履物の着用状態においては、着用者の足によって隠蔽され、脱いだ状態においては、所有者の視界に入る位置に、予め各種図形、模様又は文字を形成することが可能であると共に、表示部には、所有者が好みの書体で名前やイラストを記入したり、各種の目印を表示することができる。【００２５】  第６の考案によれば、
「前記履物が、靴、スリッパ、サンダル又は室内履物類である」
という当業界では想到することが困難な特徴ある構成としているから、
多数の人が集まり、靴等の履物を脱ぐ各種式場、会場又は施設等における、履物の履き間違い、取り違え等の不具合を防止できる。【００２６】  第７の考案によれば、
「靴用の中敷きであって、
着用状態においては、着用者の足によって隠蔽され、脱いだ状態においては、所有者の視界に入る位置に所有者の名前又は目印を表示するための表示部又は表示片を設けた」
という当業界では想到することが困難な特徴ある構成としているから、
第１の考案と同様に、冠婚葬祭等のようフォーマルな行事に着用する靴の中敷きには、靴の所有者名や目印は、できるだけ目立たないことが要求され、かつ行事の終了後には、所有者の視界に入る位置に、所有者の名前又は目印を表示するための表示部又は表示片を設けてなるから、所有者は、自己の名前、又は目印を直ちに識別でき、着用時は全く目立つことがなく、靴を脱いだときは、所有者名又は、目印が直ちに識別ができる、シンプルな構造で製作容易な、所有者名又は、目印付き中敷きの提供という、本考案の課題を解決することができた。【００２７】  第８の考案によれば、
第７の考案における靴用の中敷きにおいて、
「前記表示部又は表示片が、蓄光材を含む素材で形成されている」
という当業界では想到することが困難な特徴ある構成としているから、
第２の考案と同様に、蓄光材の特性である、太陽光や蛍光灯等の光エネルギーを短時間で吸収して、暗所で光を放出するので、自他の履物の識別が容易となり、多数の人が集まり、靴等の履物を脱ぐ各種式場、会場又は施設等における、履物の履き間違い、取り違え等の不具合を防止できる。【００２８】  第９の考案によれば、
第７の考案における靴用の中敷きにおいて、
「前記表示部又は表示片が、各種図形、模様又は文字からなる蓄光材を含むプラスチックシート、シール又はワッペンである」
という当業界では想到することが困難な特徴ある構成としているから、
第５の考案と同様に、表示部又は表示片の構造は、シンプル、かつその製作は容易であるから、履物製作会社又は販売会社が、履物の着用状態においては、着用者の足によって隠蔽され、脱いだ状態においては、所有者の視界に入る位置に、予め各種図形、模様又は文字を形成することが可能であると共に、表示部には、所有者が好みの書体で名前やイラストを記入したり、各種の目印を表示することができる。
【考案を実施するための最良の形態】
【００２９】  以下、本考案に係る、所有者名又は目印付き履物及び中敷きに関する最良の実施形態について、図面を参照しながら説明する。
図１（Ａ）〜（Ｃ）は、男性用靴の甲皮先端周縁部に表示部を一体的に延設した状態を示し、（Ａ）は平面図、（Ｂ）は表示部を折り返した状態の平面図、（Ｃ）は図１（Ｂ）におけるＣ−Ｃ線断面図である。図２（Ａ）〜（Ｃ）は、男性用靴の甲皮先端周縁部に表示片を取り付けた状態を示し、（Ａ）は平面図、（Ｂ）は表示片を折り返した状態の平面図、（Ｃ）は図２（Ｂ）におけるＣ−Ｃ線断面図である。図３（Ａ）〜（Ｃ）は、スリッパの甲皮先端周縁部に表示片を縫着した状態を示し、（Ａ）は平面図、（Ｂ）は表示片を折り返した状態の平面図、（Ｃ）は図３（Ｂ）におけるＣ−Ｃ線断面図である。図４（Ａ）〜（Ｂ）は、男性用靴に所有者の名前又は目印を表示するための表示部又は表示片を設けた状態を示し、（Ａ）は平面図、（Ｂ）は、同一部切欠側面図、図５は、スリッパの足載置面中央に表示片のワッペンを接着した状態の平面図、図６は、スリッパの足載置面後部に表示片のシールを接着した状態の平面図、図７は、中敷きの表面に名前の表示部を設けた状態の斜視図である。【００３０】  図１（Ａ）〜（Ｃ）におけるＳ１は、冠婚葬祭等のフォーマルな行事に参列するとき等に着用する皮革又は合成皮革製の男性用靴である。１は甲皮で、該甲皮１の先端周縁部１ａには表示部２が一体的に延設されている。３は折れ線で、所有者名４は、図１（Ａ）の状態で表示部２内に記入又は表示される。表示部２は、蓄光材を含む合成樹脂材、例えば、ポリプロピレン樹脂等に蓄光材を含浸させたプラスチックシートであり、該プラスチックシートは、太陽光のような自然光や蛍光灯等の人口光を短時間で吸収して、暗所で長時間、光を放出する蓄光材の特性を利用したもので、表示部２は、ヒートシーラー等で溶着するか、又は接着剤等で接着されている。所有者名４は、靴製作会社又は販売会社が、靴Ｓ１の購入者（所有者）に名前を尋ねて記入してもよいし、又は購入者（所有者）が希望すれば、自宅にこれを持ち帰り、表示部２内に好みの書体で名前やイラストを記入したり、各種の目印を表示することができる。５は靴紐である。図１（Ｂ）〜（Ｃ）は、靴Ｓ１が使用されていない状態で、図１（Ｃ）に示すように、表示部２は、折れ線３を支点として下向きになっている。所有者の足Ｆが靴Ｓ１の開口Ｓａから挿入されたら、表示部２は矢印Ｐで示すように、甲皮１の裏面部に押し上げられる。所有者の足Ｆが靴Ｓ１から脱がれると、図１（Ｂ）〜（Ｃ）の状態となっており、靴Ｓ１の所有者は、自他の靴Ｓ１を容易に識別できる。【００３１】  図２（Ａ）〜（Ｃ）に示すように、靴Ｓ２の甲皮１の先端周縁部１ａ裏面に表示片２１の一端２１ａがヒートシーラー等で溶着するか、又は接着剤等で接着されている。図２（Ａ）〜（Ｃ）に示すように、素材は、蓄光材を含む例えば、ポリプロピレン樹脂等に蓄光材を含浸させたプラスチックシート又は布帛等が使用され、図２（Ｃ）に示すように、表示片２１の厚さ寸法は、約０．２ｍｍ〜０．５ｍｍの薄厚としている。表示片２１の他端には表示枠２１ｂが形成されている。３は折れ線で、所有者名又は目印４は、図２（Ａ）の状態で表示枠２１ｂ内に記入又は表示される。５は靴紐である。図２（Ｂ）〜（Ｃ）は、靴Ｓ２が使用されていない状��で、図２（Ｃ）に示すように、表示片２１は、折れ線３を支点として下向きになっている。所有者の足Ｆが靴Ｓ２の開口Ｓａから挿入されたら、表示片２１は矢印Ｐで示すように、甲皮１の裏面部に押し上げられる。所有者の足Ｆが靴Ｓ２から脱がれると、図２（Ｂ）〜（Ｃ）の状態となっており、靴Ｓ２の所有者は、自他の靴Ｓ２を容易に識別できる。【００３２】  図３（Ａ）〜（Ｃ）は、スリッパＳＰ１の布製甲皮１０の先端周縁部１０ａ裏面に表示片３１の一端３１ａが縫着Ｎされている。表示片３１の素材は、蓄光材を含む布帛例えば綿布又は絹布が好適に使用される。表示片３１の他端には表示枠３１ｂが形成されている。３０は折れ線で、所有者名又は目印４０は、図３（Ａ）の状態で表示枠３１ｂ内に記入又は表示される。図３（Ａ）の目印４０は、花びらシール又はワッペンが貼付された例を示している。図３（Ｂ）〜（Ｃ）は、スリッパＳＰ１が使用されていない状態で、図３（Ｃ）に示すように、表示片３１は、折れ線３０を支点として下向きになっている。所有者の足ＦがスリッパＳＰ１の開口ＳＰａから挿入されたら、表示片３１は矢印Ｐで示すように、表示片３１の一端３１ａ裏面部に押し上げられる。所有者の足ＦがからスリッパＳＰ１から脱がれると、図３（Ｂ）〜（Ｃ）の状態となっており、スリッパＳＰ１の所有者は、自他のスリッパＳＰ１を容易に識別できる。【００３３】  図４（Ａ）〜（Ｂ）におけるＳ３は、冠婚葬祭等のフォーマルな行事に参列するとき等に着用する皮革又は合成皮革製の男性用靴である。４１は靴Ｓ３の開口部で、４２は足載置面、４３は表示部で、４３ａは靴Ｓ３の所有者名である。表示部４３は、蓄光材を含む合成樹脂材、例えば、ポリプロピレン樹脂等に蓄光材を含浸させたプラスチックシートであり、ヒートシーラー等で溶着するか、又は接着剤等で接着されている。所有者名４３ａは、靴製作会社又は販売会社が、靴Ｓ３の購入者（所有者）に名前を尋ねて記入してもよいし、又は購入者（所有者）が希望すれば、自宅にこれを持ち帰り、表示部４３内に好みの書体で名前やイラストを記入したり、各種の目印を表示することができる。【００３４】  図４（Ａ）〜（Ｂ）における４４は靴Ｓ３の内側面、４５は外側面で、表示部４３を足載置面４２に設けないで、靴Ｓ３の内側面４４又は外側面４５に表示部４３１、４３２の何れかに設けてもよい（図４（Ｂ）参照）。４３１ａは所有者名のイニシャル文字である。【００３５】  図５は、スリッパＳＰ２の足載置面１１のほぼ中央１２に花びら模様の表示片であるワッペン１３を接着剤で接着したもので、該表示片ワッペン１３は、蓄光材を含んでいるので、暗所では、光を放出するので、花びら模様のスリッパＳＰ２の所有者が直ちに識別される。【００３６】  図６は、スリッパＳＰ３の足載置面２１の後部（踵下部）２２に蓄光材入り星形表示片シール２３を接着剤で接着したものを例示している。【００３７】  図７は、靴の中敷きＭの表面５１の後部（踵下部）５２に蓄光材入りプラスチックシートからなる表示部５３を溶着又は接着してなり、所有者の略称名Ｍａを、油性インキペン又は蛍光ペン等によって表示している。これにより、フォーマルな行事に参列した後、自己の靴を容易に��見することができる。
【図面の簡単な説明】
【００３８】
【図１】（Ａ）は、男性用靴の甲皮先端周縁部に表示部を一体的に延設した状態を示した平面図、（Ｂ）は、同表示部を折り返した状態の平面図、（Ｃ）は、図１（Ｂ）におけるＣ−Ｃ線断面図である。
【図２】（Ａ）は、男性用靴の甲皮先端周縁部に表示片を取り付けた状態を示した平面図、（Ｂ）は、同表示片を折り返した状態の平面図、（Ｃ）は、図２（Ｂ）におけるＣ−Ｃ線断面図である。
【図３】図３（Ａ）は、スリッパの足載置面後部に表示片のシールを接着した状態の平面図、（Ｂ）は、表示片を折り返した状態の平面図、（Ｃ）は、図３（Ｂ）におけるＣ−Ｃ線断面図である。
【図４】（Ａ）は、男性用靴に所有者の名前又は目印を表示するための表示部又は表示片を設けた状態を示した平面図、（Ｂ）は、同一部切欠側面図である。
【図５】は、スリッパの足載置面中央に表示片のワッペンを接着した状態の平面図である。
【図６】は、スリッパの足載置面後部に表示片のシールを接着した状態の平面図である。
【図７】は、中敷きの表面に名前の表示部を設けた状態の斜視図である。
【符号の説明】
【００３９】Ｓ１                    靴
１                      甲皮
１ａ                    先端周縁部
２                      表示部
３                      折れ線
４                      所有者名
【図１】
0003146294.tif 000003
【図２】
0003146294.tif 000004
【図３】
0003146294.tif 000005
【図４】
0003146294.tif 000006
【図５】
0003146294.tif 000007
【図６】
0003146294.tif 000008
【図７】
0003146294.tif 000009
【手続補正書】
【提出日】平成20年8月12日(2008.8.12)
【手続補正１】
【補正対象書類名】図面
【補正対象項目名】図１
【補正方法】変更
【補正の内容】
【図１】
0003146294.tif 000010
【手続補正２】
【補正対象書類名】図面
【補正対象項目名】図２
【補正方法】変更
【補正の内容】
【図２】
0003146294.tif 000011
【手続補正３】
【補正対象書類名】図面
【補正対象項目名】図４
【補正方法】変更
【補正の内容】
【図４】
0003146294.tif 000012